(57)【要約】【課題】  画像形成システムの一部に設けられたエリアセンサが、画像記録禁止対象の画像の記録が検出された場合に不正画像記録を行った者の画像を記録するようにした画像形成システムを提供する。【解決手段】  原稿台を覆う開閉可能な原稿押さえカバーもしくはシートを搬送するシート搬送装置と、原稿の画像を読み取る画像読取装置と、画像読取装置からの読取画像もしくはコンピュータからのデータを記録紙に形成する画像形成装置と、読み取り画像が画像記録禁止対象の画像か否かを判定する判定手段と、画像読取装置を使用するユーザーの画像を撮像する撮像手段と、判定手段で読み取り画像が画像記録禁止対象の画像であると判定すると撮像手段によって撮像された画像を記憶する第一の記憶手段とを有する。【選択図】        図５
2005244569.tif 000002
【特許請求の範囲】
【請求項１】
原稿台を覆う開閉可能な原稿押さえカバーもしくはシートを搬送するシート搬送装置と、
原稿の画像を読み取る画像読取装置と、
前記画像読取装置からの読取画像もしくはコンピュータからのデータを記録紙に形成する画像形成装置と、
前記読み取り画像が画像記録禁止対象の画像か否かを判定する判定手段と、
前記画像読取装置を使用するユーザーの画像を撮像する撮像手段と、
前記撮像手段によって撮像された画像を記憶する第一の記憶手段とを有し、
読み取った原稿が画像記録禁止対象の画像であると判断された場合、前記撮像手段によって撮像された画像データを前記第一の記憶手段に記憶保持すると共に画像形成装置による画像形成を禁止することを特徴とする画像形成システム。
【請求項２】
前記撮像手段は前記原稿押さえカバーもしくは前記シート搬送装置に設けられていることを特徴とする請求項１記載の画像形成システム。
【請求項３】
前記撮像手段は前記画像読取装置に設けられていることを特徴とする請求項１記載の画像形成システム。
【請求項４】
前記撮像手段による撮像動作は画像形成装置の操作部を操作した場合、もしくは前記シート搬送装置を開けた場合であることを特徴とする請求項１記載の画像形成システム。
【請求項５】
前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させることを特徴とする請求項１又は２記載の画像形成システム。
【請求項６】
前記原稿押さえカバーもしくは前記シート搬送装置もしくは前記画像読取装置に、前記原稿押さえカバーもしくは前記シート搬送装置の第一の開き角度を検知するための第一の検知手段と、前記原稿押さえカバーもしくは前記シート搬送装置の第二の開き角度を検知するための第二の検知手段とを有し、前記第一の検知手段によって第一の開き角度が検知された場合に前記撮像手段による撮像動作を行い、前記第二の検知手段によって第二の開き角度が検知された場合に原稿台上に搭載された原稿のサイズ判定を行うことを特徴とする請求項１又は２記載の画像形成システム。
【請求項７】
原稿台を覆う開閉可能な原稿押さえカバーもしくはシートを搬送するシート搬送装置と、
原稿の画像を読み取る画像読取装置と、
前記画像読取装置からの読取画像もしくはコンピュータからのデータを記録紙に形成する画像形成装置と、
前記画像読取装置を使用するユーザーの画像を撮像する撮像手段と、
前記撮像手段によって撮像された画像を記憶する第一の記憶手段と、
前記撮像手段によって撮像された画像と前記第一の記憶手段に記憶された画像とを照合する照合手段とを有し、
前記照合手段による照合が一致した場合には画像読取装置および画像形成装置の使用を許可し、照合が一致しない場合には画像読取装置および画像形成装置の使用を禁止することを特徴とする画像形成システム。
【請求項８】
前記撮像手段は前記原稿押さえカバーもしくは前記シート搬送装置に設けられていることを特徴とする請求項７記載の画像形成システム。
【請求項９】
前記撮像手段は前記画像読取装置に設けられていることを特徴とする請求項７記載の画像形成システム。
【請求項１０】
前記照合手段による照合結果を表示する表示手段を備えていることを特徴とする請求項７記載の画像形成システム。
【請求項１１】
前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させることを特徴とする請求項７又は８記載の画像形成システム。
【請求項１２】
原稿台を覆う開閉可能な原稿押さえカバーもしくはシートを搬送するシート搬送装置と、
原稿の画像を読み取る画像読取装置と、
前記画像読取装置からの読取画像もしくはコンピュータからのデータを記録紙に形成する画像形成装置と、
前記読み取り画像が画像記録禁止対象の画像か否かを判定する判定手段と、
前記画像読取装置を使用するユーザーの画像を撮像する撮像手段と、
前記撮像手段によって撮像された画像を記憶する第一の記憶手段と、
前記撮像手段によって撮像された画像を記憶する第二の記憶手段と、
前記撮像手段によって撮像された画像と前記第二の記憶手段に記憶された画像とを照合する照合手段とを有し、
前記照合手段による照合が一致した場合には画像読取装置および画像形成装置の使用を許可し、照合が一致しない場合には画像読取装置および画像形成装置の使用を禁止すると共に読み取った原稿が画像記録禁止対象の画像であると判断された場合、前記撮像手段によって撮像された画像データを前記第一の記憶手段に記憶保持すると共に画像形成装置による画像形成を禁止することを特徴とする画像形成システム。
【請求項１３】
前記撮像手段は前記原稿押さえカバーもしくは前記シート搬送装置に設けられていることを特徴とする請求項１２記載の画像形成システム。
【請求項１４】
前記撮像手段は前記画像読取装置に設けられていることを特徴とする請求項１２記載の画像形成システム。
【請求項１５】
前記照合手段による照合結果を表示する表示手段を備えていることを特徴とする請求項１２記載の画像形成システム。
【請求項１６】
前記撮像手段による撮像動作は、照合動作時には画像形成装置の操作部を操作した場合であり、画像読取動作時には画像形成装置の操作部を操作した場合もしくは前記シート搬送装置を開けた場合であることを特徴とする請求項１２記載の画像形成システム。
【請求項１７】
前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させることを特徴とする請求項１２又は１３記載の画像形成システム。
【請求項１８】
前記原稿押さえカバーもしくは前記シート搬送装置もしくは前記画像読取装置に、前記原稿押さえカバーもしくは前記シート搬送装置の第一の開き角度を検知するための第一の検知手段と、前記原稿押さえカバーもしくは前記シート搬送装置の第二の開き角度を検知するための第二の検知手段とを有し、前記第一の検知手段によって第一の開き角度が検知された場合に前記撮像手段による撮像動作を行い、前記第二の検知手段によって第二の開き角度が検知された場合に原稿台上に搭載された原稿のサイズ判定を行うことを特徴とする請求項１２又は１３記載の画像形成システム。
【発明の詳細な説明】
【技術分野】
【０００１】
本発明は、複写機、スキャナ、ファクシミリ、ＭＦＰ（マルチファンクションプリンタ）等の画像形成システムに関し、特に、紙幣や有価証券などの偽造防止を行うシステムや、ユーザー認証を行うシステムに関するものである。
【背景技術】
【０００２】
従来、複写機、スキャナ、ファクシミリ、ＭＦＰ等の画像読取装置の原稿サイズ検知手段において、次のような方式が提案されている。図１、図２、図３、図４を用いて説明する。
【０００３】
図１は画像読取装置の側面図であり、図２は画像読取装置の正面図であり、図３は画像読取装置の原稿ガラス台の上面図である。図４は画像形成システムの制御系の概略構成を示すブロック図である。
【０００４】
図１および図２において、１０１は画像読取装置であり、１０２は開閉可能な原稿押さえカバーもしくはシートを搬送するシート搬送装置であり（以下、圧板とする）、１０３は原稿面の全域もしくは所定領域を一括して読み取ることが可能なエリアセンサであり、１０４は原稿押さえカバーもしくはシート搬送装置の開閉稼動部であるヒンジであり、１０５は原稿台ガラスである。
【０００５】
図３において、３０１から３２４は画像読取装置１０１の筐体の内側底面に配置され、原稿台ガラス１０５上に搭載された原稿の定型サイズを判定するために用いられる認識マークもしくは光源（ＬＥＤ）である（以下、認識手段とする）。
【０００６】
図４において、４０１は画像読取装置を制御するための制御基板、４０２は原稿からの反射光をイメージセンサによって読み取って電気信号に変換するためのイメージセンサユニット、４０３は原稿を照射するためのランプ、４０４はランプを点灯させるためのインバータ、４０５は圧板の所定の角度を検出するための圧板角度センサ、４０６は図示しない光学系を移動するためのモータ、４０７は画像読取装置１０１からの読み取り画像もしくはコンピュータからのデータを記録紙に形成する画像形成装置であり、４０８は画像形成システムの操作を行うための操作パネルである。この画像形成システムは、画像形成装置４０７内にあるネットワークインターフェース回路を介してネットワーク４０９と接続されている。
【０００７】
制御基板４０１は、画像読取装置１０１を制御するＣＰＵ４１１、画像読取装置を制御するプログラムが格納されたＲＯＭ４１２、ＣＰＵ４１１の制御に使用するＲＡＭ４１３、エリアセンサ１０３の制御・画像記憶・原稿サイズ判定を行うための制御回路部４１４、イメージセンサユニット４０２の制御及びイメージセンサユニット４０２からのデジタル画像信号に対してシェーディング補正等の画像処理を行うためのシェーディング補正回路部４１５、モータ４０６を駆動するためのモータドライバ４１６、画像形成装置４０７との間で画像データおよび制御信号および通信を行うためのインターフェース回路４１７を含んでいる。
【０００８】
イメージセンサユニット４０２は、原稿からの反射光を読み取って電気信号に変換するためのリニアイメージセンサ４２１、リニアイメージセンサ４２１から出力されるアナログ画像信号を増幅するためのアンプ４２２、アナログ画像信号をデジタル信号に変換するためのＡ／Ｄ部４２３を含んでいる。
【０００９】
次に、この方式の原稿サイズ検知について説明する。圧板１０２が開けられ、閉じられる際の所定の角度が圧板角度センサ４０５によって検知されると、エリアセンサ１０３によって画像が読み取られる。例えば、Ａ４サイズの原稿が搭載されている場合には認識手段３０１〜３０３，３０７〜３０９，３１３〜３１５，３１９〜３２１が原稿によって認識できなく、Ａ３サイズの原稿が搭載されている場合には認識手段３０１〜３２４の全てが原稿によって認識できなく、原稿が搭載されていない場合には認識手段３０１〜３２４の全てが認識できる。このようなエリアセンサ１０３の読取画像によって、制御回路部４１４は読み取り画像の所定の位置画像に対して認識手段が認識できるか否かを判定し、この判定結果に基づいて原稿のサイズを決定する。原稿のサイズが決定されると、原稿サイズ情報が画像形成装置４０７に通知される。画像形成装置４０７はこの原稿サイズ情報に従って画像形成を行う。
【００１０】
一方、近年のカラープリント技術の向上に伴い、紙幣、有価証券等の特定画像についての偽造の危倶が生じている。この問題に対して、記録対象画像と特定画像との同一性をパターンマツチング等により判定し、その判定結果に応じて記録動作を制御する偽造防止技術が提案されている（下記、特許文献１参照。）。
【特許文献１】特開平７−３０７４９号公報
【発明の開示】
【発明が解決しようとする課題】
【００１１】
上記のような偽造防止技術によって画像記録禁止対象である紙幣、有価証券等の偽造防止が可能であるが、そのような不正行為を働いた者を確認することは、従来行われていなかった。また、予めユーザー認証を行うことも不正行為の防止に効果があるが、従来の磁気カード等を用いるユーザー認証方式では、個々の確認を行うことは非常に困難であった。
【００１２】
本発明は上記問題を解決し、画像記録禁止対象の画像の記録が検出された場合、画像形成システムの一部に設けられたエリアセンサが、不正画像記録を行った者の画像を記録することで不正行為を防止できるようにした画像形成システムを提供することを目的とするものである。
【００１３】
更に、エリアセンサで取り込んだ人の顔画像を解析し、予め登録されている顔データと照合することでユーザー認証を行う画像形成システムを提供することを目的とするものである。
【課題を解決するための手段】
【００１４】
上述した課題を解決する本発明の画像形成システムは、原稿台を覆う開閉可能な原稿押さえカバーもしくはシートを搬送するシート搬送装置と、原稿の画像を読み取る画像読取装置と、前記画像読取装置からの読取画像もしくはコンピュータからのデータを記録紙に形成する画像形成装置と、前記読み取り画像が画像記録禁止対象の画像か否かを判定する判定手段と、前記画像読取装置を使用するユーザーの画像を撮像する撮像手段と、前記撮像手段によって撮像された画像を記憶する第一の記憶手段とを有し、読み取った原稿が画像記録禁止対象の画像であると判断された場合、前記撮像手段によって撮像された画像データを前記第一の記憶手段に記憶保持すると共に画像形成装置による画像形成を禁止する。
【００１５】
本発明の一態様では、前記撮像手段は前記原稿押さえカバーもしくは前記シート搬送装置に設けられている。
【００１６】
本発明の一態様では、前記撮像手段は前記画像読取装置に設けられている。
【００１７】
本発明の一態様では、前記撮像手段による撮像動作は画像形成装置の操作部を操作した場合、もしくは前記シート搬送装置を開けた場合である。
【００１８】
本発明の一態様では、前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させる。
【００１９】
本発明の一態様では、前記原稿押さえカバーもしくは前記シート搬送装置もしくは前記画像形成装置に、前記原稿押さえカバーもしくは前記シート搬送装置の第一の開き角度を検知するための第一の検知手段と、前記原稿押さえカバーもしくは前記シート搬送装置の第二の開き角度を検知するための第二の検知手段とを有し、前記第一の検知手段によって第一の開き角度が検知された場合に前記撮像手段による撮像動作を行い、前記第二の検知手段によって第二の開き角度が検知された場合に原稿台上に搭載された原稿のサイズ判定を行う。
【００２０】
また、本発明の画像形成システムは、原稿台を覆う開閉可能な原稿押さえカバーもしくはシートを搬送するシート搬送装置と、原稿の画像を読み取る画像読取装置と、前記画像読取装置からの読取画像もしくはコンピュータからのデータを記録紙に形成する画像形成装置と、前記画像読取装置を使用するユーザーの画像を撮像する撮像手段と、前記撮像手段によって撮像された画像を記憶する第一の記憶手段と、前記撮像手段によって撮像された画像と前記第一の記憶手段に記憶された画像とを照合する照合手段とを有し、前記照合手段による照合が一致した場合には画像読取装置および画像形成装置の使用を許可し、照合が一致しない場合には画像読取装置および画像形成装置の使用を禁止する。
【００２１】
本発明の一態様では、前記撮像手段は前記原稿押さえカバーもしくは前記シート搬送装置に設けられている。
【００２２】
本発明の一態様では、前記撮像手段は前記画像読取装置に設けられている。
【００２３】
本発明の一態様では、前記照合手段による照合結果を表示する表示手段を備えている。
【００２４】
本発明の一態様では、前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させる。
【００２５】
また、本発明の画像形成システムは、原稿台を覆う開閉可能な原稿押さえカバーもしくはシートを搬送するシート搬送装置と、原稿の画像を読み取る画像読取装置と、前記画像読取装置からの読取画像もしくはコンピュータからのデータを記録紙に形成する画像形成装置と、前記読み取り画像が画像記録禁止対象の画像か否かを判定する判定手段と、前記画像読取装置を使用するユーザーの画像を撮像する撮像手段と、前記撮像手段によって撮像された画像を記憶する第一の記憶手段と、前記撮像手段によって撮像された画像を記憶する第二の記憶手段と、前記撮像手段によって撮像された画像と前記第二の記憶手段に記憶された画像とを照合する照合手段とを有し、前記照合手段による照合が一致した場合には画像読取装置および画像形成装置の使用を許可し、照合が一致しない場合には画像読取装置および画像形成装置の使用を禁止すると共に読み取った原稿が画像記録禁止対象の画像であると判断された場合、前記撮像手段によって撮像された画像データを前記第一の記憶手段に記憶保持すると共に画像形成装置による画像形成を禁止する。
【００２６】
本発明の一態様では、前記撮像手段は前記原稿押さえカバーもしくは前記シート搬送装置に設けられている。
【００２７】
本発明の一態様では、前記撮像手段は前記画像読取装置に設けられている。
【００２８】
本発明の一態様では、前記照合手段による照合結果、および、前記第一の記憶手段に記憶されたデータを表示する表示手段を備えている。
【００２９】
本発明の一態様では、前記撮像手段による撮像動作は、照合動作時には画像形成装置の操作部を操作した場合であり、画像読取動作時には画像形成装置の操作部を操作した場合もしくは前記シート搬送装置を開けた場合である。
【００３０】
本発明の一態様では、前記原稿押さえカバーもしくは前記シート搬送装置は、ヒンジ手段と、前記撮像手段を回転移動する回転移動手段と、前記ヒンジ手段と前記回転移動手段を接続するベルト手段を有し、前記原稿押さえカバーもしくは前記シート搬送装置の開閉によるヒンジ手段の駆動によって前記撮像手段を回転移動させる。
【００３１】
本発明の一態様では、前記原稿押さえカバーもしくは前記シート搬送装置もしくは前記画像読取装置に、前記原稿押さえカバーもしくは前記シート搬送装置の第一の開き角度を検知するための第一の検知手段と、前記原稿押さえカバーもしくは前記シート搬送装置の第二の開き角度を検知するための第二の検知手段とを有し、前記第一の検知手段によって第一の開き角度が検知された場合に前記撮像手段による撮像動作を行い、前記第二の検知手段によって第二の開き角度が検知された場合に原稿台上に搭載された原稿のサイズ判定を行う。
【発明の効果】
【００３２】
以上説明したように、本発明によれば、画像形成システムの一部に設けられたエリアセンサが、画像記録禁止対象の画像の記録が検出された場合に不正画像記録を行った者の画像を記録することができるので、不正行為を防止できるようにした画像形成システムを提供することできる。また、エリアセンサによるユーザー認証を行うことができるため、不特定のユーザーの使用を制限できる。
【発明を実施するための最良の形態】
【００３３】
（第１の実施の形態）
本発明の第１の実施の形態を図５，図６，図７，図８に基づいて説明する。図５は画像読取装置の側面図であり、図６は圧板部の側面の詳細図であり、図７は画像読取装置の正面図である。図８は画像形成システムの制御系の概略構成を示すブロック図である。これらの図について、従来例において説明したものと重複する部分の説明は省略する。
【００３４】
図５および図６および図７において、１０６はエリアセンサ１０３を回転移動するための回転移動機構であり、１０７は回転移動機構１０６とヒンジ１０４とを接続して圧板１０２の開閉によるヒンジ手段の駆動に応じて回転移動機構１０６を回転移動させるためのベルトである。
【００３５】
図８において、４１８は原稿画像が紙幣や有価証券等の所定の画像記録禁止画像か否かの判定を行うための画像判定部であり、４１９は画像判定部４１８によって原稿画像が画像記録禁止画像であると判断された場合にエリアセンサ１０３で読み取った画像データを記憶するための第１画像記憶部である。
【００３６】
次に、本実施例における画像形成システムの動作について説明する。
【００３７】
先ず、圧板１０２の開閉によるエリアセンサ１０３の動作について説明すると、ユーザーによって圧板１０２が開けられると、ヒンジ１０４、ベルト１０７、回転移動機構１０６によってエリアセンサ１０３が正面を向くように回転移動する。原稿台ガラス１０５上に原稿が搭載され、圧板１０２が閉じられるに従って、ヒンジ１０４、ベルト１０７、回転移動機構１０６によってエリアセンサ１０３が反時計回りに回転していく。圧板角度センサ４０５によって所定の圧板角度が検知される時、エリアセンサ１０３は原稿台ガラス１０５を読み取るように下方向を向くように回転移動する。圧板１０２が完全に閉じられた状態ではエリアセンサ１０３は更に反時計方向に回転し、正面斜め上方向を向くように回転移動していく。
【００３８】
図６を用いて更に説明すると、圧板１０２開状態では（図６（ａ））、ヒンジ１０４に連動してベルト１０７が上方向に押し上げられることで回転移動機構１０６が図のように回転してエリアセンサ１０３が時計回りに回転して正面を向く。圧板１０２が閉じられていく過程で圧板角度センサ４０５による検知が行われる時（図６（ｂ））、ヒンジ１０４に連動してベルト１０７がヒンジ１０４方向に引かれることで回転移動機構１０６が図のように回転してエリアセンサ１０３が反時計回りに回転して下方向を向く。圧板１０２が完全に閉じられた状態では（図６（ｃ））、ヒンジ１０４に連動してベルト１０７が更にヒンジ１０４方向に引かれることで回転移動機構１０６が図のように回転してエリアセンサ１０３が反時計回りに回転して正面斜め上方向を向くことになる。
【００３９】
次に、原稿が画像記録禁止対象の画像と検出された場合の動作を含む一連の画像読み取り動作について説明する。
【００４０】
ユーザーによって圧板１０２が開けられ、原稿台ガラス１０５上に原稿が搭載され、圧板１０２が閉じられる過程で、従来例において説明した原稿サイズ判定処理が行われる。圧板角度センサ４０５の検知によって、エリアセンサ１０３による画像読み取りが行われ、一連の原稿サイズ判定によって原稿サイズが決定され、原稿サイズ情報が画像形成装置４０７に通知される。
【００４１】
圧板１０２が閉じられ、ユーザーによる画像読み取り操作開始が入力されると、図６（ｃ）の状態でエリアセンサ１０３によってユーザーの画像が読み取られると共に、イメージセンサによる一連の原稿読み取り動作が行われる。
【００４２】
圧板圧板１０２が閉じられずに開いたままの状態でユーザーによる画像読み取り操作開始が入力されると、図６（ａ）の状態でエリアセンサ１０３によってユーザーの画像が読み取られると共に、操作パネル上への原稿サイズ入力が要求される。ユーザーの操作パネルからの原稿サイズ入力が終了するとイメージセンサによる一連の原稿読み取り動作が行われる。
【００４３】
ここで、圧板にシート搬送装置が用いられている場合、上記と同様にユーザーによる画像読み取り操作開始が入力されると、図６（ｃ）の状態でエリアセンサ１０３によってユーザーの画像が読み取られると共に、イメージセンサによる一連の原稿読み取り動作が行われる。
【００４４】
イメージセンサ４２１によって光電変換された原稿画像信号は、アンプ４２２によって増幅された後にＡ／Ｄ部４２３によってデジタル信号に変換される。デジタル化された原稿画像信号はシェーディング補正回路部４１５によって画像処理が行われた後に、画像が画像記録禁止対象画像か否かを判定するための画像判定部４１８に送られると共に、インターフェース部４１７を介して画像形成装置４０７に伝送される。
【００４５】
画像判定部４１８では、原稿が記録禁止画像であるか否かを判定する。この記録禁止画像か否かの判定には、現在のカラー複写機においても走査式画像読み取り方式については種々の方式が提案されている。本実施例においては原稿画像に対して予め記憶されている特定画像との同一性をパターンマツチングにより、記録禁止画像か否かの判定を行う。ここで記録禁止画像と判定された場合、または記録禁止画像の疑いの有る画像と判定された場合には、予めエリアセンサ１０３によって読み取ったユーザー画像を第１画像記憶部４１９に記憶させる。この記憶されたユーザー画像はＣＰＵ４１１によって読み出し可能であると共にインターフェース部４１７を介して画像形成装置４０７に伝送することが可能である。画像形成装置４０７ではその画像を記録したり、画像形成装置４０７の管理する表示パネルに表示させたり、ネットワークを介して送信することも可能である。
【００４６】
尚、第１画像記憶部４１９は、不揮発性メモリ、或いは、バッテリバックアップ回路を持つ揮発性メモリ等であり、画像形成システムの電源を落としても画像データは保持されている。記憶された画像データは操作パネルやネットワークから管理者が操作を行うことによって、ＣＰＵ４１１を介して消去できる。
【００４７】
また、画像判定部４１８による判定結果は、インターフェース部４１７を介して画像形成装置４０７に伝送され、記録禁止画像と確実に判定された場合には、記録動作を行わないか、或いは、記録禁止画像と判定された部分を黒く塗り潰して画像形成を行い、一方、記録禁止画像の疑いの有る画像の場合には、画像形成装置４０７にてスムージング処理をかける等、わざと画像を劣化させて画像を形成する等の偽造防止処理を行う。
【００４８】
尚、上記で説明した実施例においては、ユーザーによる画像読み取り操作開始が入力されるとエリアセンサによってユーザーの画像が読み取られる動作について説明したが、圧板が開いた状態を検知した場合にエリアセンサによってユーザーの画像を読み取っても良い。この場合には、圧板角度センサ４０５の他に、圧板１０２が開状態であることを検出するための圧板角度センサを追加することで、圧板が開いた状態を検知した時にユーザーの画像を読み取る。この時、読み取った画像はすぐに第１画像記憶部４１９に記憶させることで、原稿サイズ検知時に読み取った画像によって上書きされないようにする。そして、画像判定部４１８によって原稿が記録禁止画像と判定された場合は第１画像記憶部４１９に記憶した画像を保持し、画像判定部４１８によって原稿が記録禁止画像と判定されない場合は第１画像記憶部４１９に記憶した画像を消去する。
【００４９】
（第２の実施の形態）
次に、本発明の第２の実施の形態を説明する。この第２の実施の形態は、上述した第１の実施の形態とは、エリアセンサによってユーザー認証を行う動作が異なっており、その他は類似であるため、類似構成要素には同一符号を付す等して説明を省略し、相違部分についてのみ説明を行う。
【００５０】
本発明の実施例を図９に基づいて説明する。図９は画像形成システムの制御系の概略構成を示すブロック図である。この第２の実施の形態が、上述した第１の実施の形態と第１に異なる点は、画像照合部４３１と第２画像記憶部４３２を持ち、エリアセンサ１０３で取り込んだユーザーの顔画像を解析し、予め登録されている顔データと照合することでユーザー認証を行う機能を持つ点である。
【００５１】
図９において、画像照合部４３１は、登録時にはエリアセンサ１０３で取り込んだユーザーの顔画像を第２画像記憶部４３２に記憶させる登録処理を行うと共に、ユーザー認証時にはエリアセンサ１０３で取り込んだユーザーの顔画像を第２画像記憶部４３２に登録されている顔データと照合を行い、照合結果をＣＰＵ４１１に通知する。第２画像記憶部４３２はユーザーの顔画像を記憶するものであり、不揮発性メモリ、或いは、バッテリバックアップ回路を持つ揮発性メモリ等であり、画像形成システムの電源を落としても画像データは保持される。
【００５２】
次に、本実施例における画像形成システムの動作について、ユーザー認証のための登録、照合動作について説明する。
【００５３】
ユーザー認証登録時には、管理者或いはユーザーは操作パネル４０８上よりパスワードを入力してユーザー登録モードに入る。圧板１０２が開いた状態（図６（ａ））、または、閉じた状態（図６（ｃ））で、操作パネル４０８上より登録開始が入力されると、エリアセンサ１０３によってユーザーの顔画像が読み取られる。その後、所定のユーザー情報を入力した後に登録完了を操作パネル４０８上より入力することで顔画像データとユーザー情報が第２画像記憶部４３２に記憶される。
【００５４】
ユーザー照合時には、各々ユーザー認証登録時の圧板１０２の状態で、操作パネル４０８上より照合開始を入力する。照合開始が入力されるとエリアセンサ１０３によってユーザーの顔画像が読み取られる。制御回路部４１４によって読み取られたユーザー画像は、画像照合部４３１によって第２画像記憶部４３２に記憶される画像データと照合され、その照合結果をＣＰＵ４１１に通知する。照合結果が一致した場合は、一連の画像読み取り動作を許可し、第１の実施の形態に基づく画像読み取り動作、及び、画像形成動作が行われる。また、照合結果が一致しない場合は、操作パネル４０８上に照合の不一致を表示すると共に、一連の画像読み取り動作を禁止する。
【図面の簡単な説明】
【００５５】
【図１】従来の画像読取装置の構成を示す側面図である。
【図２】従来の画像読取装置の構成を示す正面図である。
【図３】従来の画像読取装置の原稿ガラス台の上面図である。
【図４】従来の画像形成システムの制御系の概略構成を示すブロック図である。
【図５】本発明の第１の実施例における画像読取装置の構成を示す側面図である。
【図６】本発明の第１の実施例における圧板部の構成を示す側面の詳細図である。
【図７】本発明の第１の実施例における画像読取装置の構成を示す正面図である。
【図８】本発明の第１の実施例における画像形成システムの制御系の概略構成を示すブロック図である。
【図９】本発明の第２の実施例における画像形成システムの制御系の概略構成を示すブロック図である。
【符号の説明】
【００５６】
１０１    画像読取装置
１０２    圧板
１０３    エリアセンサ
１０４    ヒンジ
１０５    原稿台ガラス
１０６    回転移動機構
１０７    ベルト
３０１〜３２４    認識手段
４０１    制御基板
４０２    イメージセンサユニット
４０３    ランプ
４０４    インバータ
４０５    圧板角度センサ
４０６    モータ
４０７    画像形成装置
４０８    操作パネル
４０９    ネットワーク
４１１    ＣＰＵ
４１２    ＲＯＭ
４１３    ＲＡＭ
４１４    制御回路部
４１５    シェーディング補正回路部
４１６    モータドライバ
４１７    インターフェース回路
４１８    画像判定部
４１９    第１画像記憶部
４２１    リニアイメージセンサ
４２２    アンプ
４２３    Ａ／Ｄ
４３１    画像照合部
４３２    第２画像記憶部
【図１】
2005244569.tif 000003
【図２】
2005244569.tif 000004
【図３】
2005244569.tif 000005
【図４】
2005244569.tif 000006
【図５】
2005244569.tif 000007
【図６】
2005244569.tif 000008
【図７】
2005244569.tif 000009
【図８】
2005244569.tif 000010
【図９】
2005244569.tif 000011